(57)【要約】【課題】枕木のピッチにバラツキがあったとしても、１種類の長さの防音カバーを準備するだけで、防音カバーを施工する。【解決手段】レールRの長さ方向にそって、複数の防音カバー51、52が直列状に並べられている。隣り合う２つの枕木41、42間において、隣り合う２つの防音カバー51、52の相対する端部同士が、レール長さ方向に相対移動自在に重ね合わされている。【選択図】図２
2010126884.tif 000002
【特許請求の範囲】
【請求項１】
レールの長さ方向にそって、複数の防音カバーが直列状に並べられており、隣り合う２つの枕木間において、隣り合う２つの防音カバーの相対する端部同士が、レール長さ方向に相対移動自在に重ね合わされているレールの防音装置。
【請求項２】
各防音カバーの長さの中間に、枕木にレールを締結している締結具との干渉を回避するための切欠が形成されている請求項１に記載のレールの防音装置。
【請求項３】
各防音カバーが、枕木およびバラストの少なくともいずれか一方に固定されている請求項１または２に記載のレールの防音装置。
【発明の詳細な説明】
【技術分野】
【０００１】
この発明は、鉄道のレールから発生する騒音を防止するレールの防音装置に関する。
【背景技術】
【０００２】
この種のレールの防音装置としては、レールの長さ方向にそって、複数の防音カバーが直列状に並べられており、隣り合う２つの枕木に、同枕木ピッチに合わせて形成された長さを有する防音カバーが渡されており、各枕木上において、隣接する２つの防音カバーの端面同士が突き合わされており、同２つの防音カバーの突き合わされた両端面にまたがって、同枕木にレールを締結している締結具との干渉を回避するための切欠が形成されているものが知られている（例えば、特許文献１参照。）。
【０００３】
防音カバーを施工する現場において、枕木のピッチにはバラツキがある。そのため、長さを異にする複数種類の防音カバーを準備する必要がある。
【０００４】
また、上記レールの防音装置では、各防音カバーは、通常、２つの固定具によってレールに固定されている。そのため、施工が面倒である。
【特許文献１】特開２００７−２２４７００号公報
【発明の開示】
【発明が解決しようとする課題】
【０００５】
この発明の目的は、枕木のピッチにバラツキがあったとしても、１種類の長さの防音カバーを準備するだけで、防音カバーの施工をすることのできるレールの防音装置を提供することにある。
【課題を解決するための手段】
【０００６】
この発明によるレールの防音装置は、レールの長さ方向にそって、複数の防音カバーが直列状に並べられており、隣り合う２つの枕木間において、隣り合う２つの防音カバーの相対する端部同士が、レール長さ方向に相対移動自在に重ね合わされているものである。
【０００７】
この発明によるレールの防音装置では、枕木のピッチにはバラツキがあったとしても、
隣り合う２つの防音カバーの重ね合わされている部分の長さを調節することによって、そのバラツキを吸収することができる。したがって、１種類の長さの防音カバーを準備するだけで、防音カバーの施工をすることができる。
【０００８】
また、各防音カバーの長さの中間に、枕木にレールを締結している締結具との干渉を回避するための切欠が形成されていると、上記従来装置のように、２つの防音カバの端部にまたがるように切欠を形成する場合と比較して、切欠を簡単に形成することができる。
【０００９】
また、各防音カバーが、枕木およびバラストの少なくともいずれか一方に固定されていても良い。
【発明の効果】
【００１０】
この発明によれば、枕木のピッチにはバラツキがあったとしても、１種類の長さの防音カバーを準備するだけで施工することができる。
【発明を実施するための最良の形態】
【００１１】
この発明の実施の形態を図面を参照しながらつぎに説明する。
【００１２】
図１を参照すると、枕木SにレールRが締結具Tによって固定されている。レールRの左右両側面には、左右一対の防音カバー11がそれぞれ被覆されている。締結具Tには、レールRとともに固定具Fが一緒に締結されており、これによって、各防音カバー11がレールRとともに枕木Sに固定されている。
【００１３】
レールRは、上から下にかけて順次連なる、トップRt、ウェッブRwおよびベースRbよりなる。
【００１４】
各防音カバー11は、ウェッブRw側面の上縁およびベースRb上面外縁に渡されている鋼板製帯板状カバー本体21と、カバー本体21の内面に被覆されている吸音マット22とよりなる。吸音マット22は、積層構造の制振材22Aおよびウレタン吸音材22Bよりなる。各防音カバー本体21の下縁部には、締結具Tとの干渉を回避するための切欠31が形成されている。
【００１５】
図２を参照すると、隣り合って敷設されている第１枕木41および第２枕木42が示されている。第１枕木41には第１防音カバーが、第２枕木42には第２防音カバー52がそれぞれ長さの中程で固定されている。第１防音カバー51および第２防音カバー52の相対する端部は、第１枕木41および第２枕木42間において、それぞれの長さ方向に相対移動自在に重ね合わされている。この重ね合わされた部分の長さを、重ね代δとして示す。
【００１６】
第１枕木41および第２枕木42のピッチをPとし、第１防音カバー51および第２防音カバー52の長さを、ともに等しくて、Lとすると、L＝P＋δである。
【００１７】
第１枕木41および第２枕木42のピッチPにはバラツキがあり、同ピッチPが変化しても、重ね代δを変更すれば、第１防音カバー51および第２防音カバー52の長さLを変更することなく、同じ長さの第１防音カバー51および第２防音カバー52をそのまま使用することができる。
【００１８】
図３〜図４に、防音カバーの固定の仕方が様々に示されている。図３では、固定具を締結具に締結するのでは無く、防音カバー51をねじまたは釘61によって枕木41に直接固定している。図４では、防音カバー51にクランプ62が一体的に設けられ、これが枕木41に挟み止められている。図５では、枕木41を支持しているバラストBにアンカー63が植え込まれ、これに、防音カバー51が固定されている。
【００１９】
再び、図１を参照すると、第１防音カバー51および第２防音カバー52の重ね合わされている部分が詳細に示されている。第１防音カバー51の端部上下両縁に、内向き折曲縁部71が対向状に設けられており、これらの折曲縁部71によって、第２防音カバー52の端部上下両縁が抱きかかえられている。これにより、双方の防音カバー51、52の重ね合わせが不用意に外れることを防止できる。
【００２０】
上記において、防音カバーの長さをL＝P＋δとする例が示されているが、これは、レールを、枕木１ピッチに相当する長さを被覆する場合である。防音カバーの長さをL '＝２P＋δとすると、防音カバーを枕木２ピッチに相当する長さを被覆することができる。勿論、１つの防音カバーによって、枕木３ピッチ以上の長さを被覆してもよい。
【図面の簡単な説明】
【００２１】
【図１】この発明によるレールの防音装置の垂直横断面図である。
【図２】同レールの防音装置の斜視図である。
【図３】同装置に使用される防音カバーの固定の仕方の変形例を示す斜視図である。
【図４】同固定の仕方の他の変形例を示す斜視図である。
【図５】同固定の仕方のさらなる他の変形例を示す斜視図である。
【符号の説明】
【００２２】
41、42  枕木
51、52  防音カバー
R  レール
【図１】
2010126884.tif 000003
【図２】
2010126884.tif 000004
【図３】
2010126884.tif 000005
【図４】
2010126884.tif 000006
【図５】
2010126884.tif 000007